(57)【要約】【課題】  ビニールハウス等の栽培施設において、屋根部材を支持しつつ壁面を構成する壁面構造体を提供する。【解決手段】  密閉空間内にエアを供給し、内部圧力を外部よりも高くすることにより形成されるエアドーム型の屋根構造を有する栽培施設Ａにおいて、栽培施設を平面視で多角形とし、その各辺に沿って設置され、ドーム屋根Ｃを構成する多層構造の屋根部材を支持する壁面構造体である。矩形の枠体で構成された壁面基部１と、壁面基部の栽培施設内側に当接されつつ該壁面基部に支持されて壁面を構成する壁面部材２と、屋根部材の最内層部材の端縁部を巻回する角パイプ４と、壁面基部の栽培施設内側に設けられ、角パイプを挟持するパイプ固定部３とを備える。屋根部材の最内層部材以外の外層部材の端縁部を壁面基部の一部に固定させる。【選択図】  図２
2012100600.tif 000002
【特許請求の範囲】
【請求項１】
密閉空間内にエアを供給し、内部圧力を外部よりも高くすることにより形成されるエアドーム型の屋根構造を有する栽培施設において、上記栽培施設を平面視で多角形とし、その各辺に沿って設置され、ドーム屋根を構成する多層構造の屋根部材を支持する壁面構造体であって、矩形の枠体で構成された壁面基部と、この壁面基部の栽培施設内側に当接されつつ該壁面基部に支持されて壁面を構成する壁面部材と、上記屋根部材の最内層部材の端縁部を巻回する角パイプと、上記壁面基部の栽培施設内側に設けられ、上記角パイプを挟持するパイプ固定部とを備え、屋根部材の上記最内層部材以外の外層部材の端縁部を上記壁面基部の一部に固定させることを特徴とする壁面構造体。
【請求項２】
前記壁面基部は、前記栽培施設の平面視多角形の辺に沿って地上に載置される下枠部と、この下枠部の両端から立設される二本の側枠部と、この二本の側枠部の上端に懸架される上枠部とで構成された壁面基部であることを特徴とする請求項１に記載の壁面構造体。
【請求項３】
前記壁面基部は、さらに、前記上枠部に対し平行に設けられた長尺な棒状部材を備えた壁面基部であることを特徴とする請求項２に記載の壁面構造体。
【請求項４】
前記側枠部は、平滑な側面部を有するとともに、この側面部が、前記栽培施設の平面視多角形の中心から頂点までの直線に平行な角度で設置されている側枠部であることを特徴とする請求項２または３に記載の壁面構造体。
【請求項５】
前記壁面基部は、さらに、前記下枠部の両端から前記栽培施設外方に向かって延出する定着用部材を備えた壁面基部であることを特徴とする請求項２ないし４のいずれかに記載の壁面構造体。
【請求項６】
前記定着用部材は、前記栽培施設の平面視多角形の中心から頂点までの直線に平行な角度で該栽培施設の外方に向かって延出する定着用部材であることを特徴とする請求項５に記載の壁面構造体。
【請求項７】
前記定着用部材は、さらに、屋根部材の外層部材を固定するための掛止部を備えた定着部材であることを特徴とする請求項５または６に記載の壁面構造体。
【請求項８】
前記壁面基部は、該壁面基部を構成する部材間に連結された複数の補強部材を備えた壁面部材であることを特徴とする請求項２ないし７のいずれかに記載の壁面構造体。
【発明の詳細な説明】
【技術分野】
【０００１】
本発明は、栽培施設の壁面構造体に関し、特に、エアドーム型の屋根構造を有する栽培施設における屋根部材を支持する壁面構造体に関するものである。
【背景技術】
【０００２】
栽培施設としては、一般的にビニールハウスが代表的である。このビニールハウスは、多数の支柱および骨組を組み立てることによってアーチ状の屋根構造を構築する場合（特許文献１参照）、または三角屋根構造を構築する場合（特許文献２参照）がある。これらのビニールハウスは、専ら、支柱および骨組によって基本構造が形成されるとともに、屋根および壁面部分にビニールシートを張設することによって、内外を遮断するものであることは周知である。
【先行技術文献】
【特許文献】
【０００３】
【特許文献１】特開２００７−１９５４１３号公報（図１）
【特許文献２】特開２００８−２１１９６９号公報（図１）
【特許文献３】特開平５−３３５２２号公報
【発明の概要】
【発明が解決しようとする課題】
【０００４】
最近では、閉鎖空間内にエアを供給することにより内外の圧力に差を設け、内部の圧力によって屋根形状を維持するエアドーム型の屋根構造が開発されつつある（特許文献３参照）。ビニールハウス等の栽培施設においても、この種のエアドーム型の屋根構造を使用することは可能であると考えられるが、そのためには、屋根部材を支持する壁面構造体が必要となるものであった。
【０００５】
ところが、特許文献３において開示される技術は、金属製の胴部によって屋根部材が支持される構造であるため、ビニールハウス等の栽培施設に転用することはできず、栽培施設に適する壁面構造体が切望されていた。
【０００６】
本発明は、上記諸点にかんがみてなされたものであって、その目的とするところは、ビニールハウス等の栽培施設において、屋根部材を支持しつつ壁面を構成する壁面構造体を提供することである。
【課題を解決するための手段】
【０００７】
そこで、本発明は、密閉空間内にエアを供給し、内部圧力を外部よりも高くすることにより形成されるエアドーム型の屋根構造を有する栽培施設において、上記栽培施設を平面視で多角形とし、その各辺に沿って設置され、ドーム屋根を構成する多層構造の屋根部材を支持する壁面構造体であって、矩形の枠体で構成された壁面基部と、この壁面基部の栽培施設内側に当接されつつ該壁面基部に支持されて壁面を構成する壁面部材と、上記屋根部材の最内層部材の端縁部を巻回する角パイプと、上記壁面基部の栽培施設内側に設けられ、上記角パイプを挟持するパイプ固定部とを備え、屋根部材の上記最内層部材以外の外層部材の端縁部を上記壁面基部の一部に固定させることを特徴とするものである。
【０００８】
上記構成によれば、壁面基部は矩形の枠体で構成されることから、その枠体の内側は貫通している状態となるが、当該部分に壁面部材を設けることにより、一枚の一体的な壁面を構成することができる。そして、栽培施設内側に設置される角パイプには、屋根部材の最内層部材の先端が巻回されることから、栽培施設内部に作用する高い圧力が最も顕著に作用する最内層部材を、壁面の内側で固定することができる。屋根部材の最内層部材以外の部材は、栽培施設内の圧力が直接作用するものではなく、最内層部材が膨張しようとする力を介する状態で影響を受けることとなるから、枠体の適宜個所において固定することで、上記圧力に対し十分に対抗させることができるものである。
【０００９】
上記発明において、前記壁面基部が、前記栽培施設の平面視多角形の辺に沿って地上に載置される下枠部と、この下枠部の両端から立設される二本の側枠部と、この二本の側枠部の上端に懸架される上枠部とで構成されたものとすることができる。
【００１０】
上記構成によれば、壁面基部の下枠部が、栽培施設を平面視多角形に形成するための基準となり、この基準に沿って壁面基部を構成し、さらに平面部を設けることによって多角形の筒状体を形成することができる。この多角形筒状体の上縁にエアドーム型の屋根構造を設けることにより、ドーム型の栽培施設を構築することができることとなる。
【００１１】
また、上記発明において、前記壁面基部には、さらに、前記上枠部に対し平行に設けられた長尺な棒状部材を備えることができる。
【００１２】
上記構成によれば、壁面基部を構成する上枠部とは別に棒状部材が設けられることから、この棒状部材に屋根部材の外層部材の端縁部を固定することが可能となる。この外層部材としては、種々の形態が想定されるが、例えば、網目を有するネット部材を使用する場合には、ネット部材の端縁付近の網目に紐状部材を挿通させ、これを棒状部材に連結するような使用態様が考えられる。
【００１３】
さらに、上記発明において、前記側枠部が、平滑な側面部を有するとともに、この側面部が、前記栽培施設の平面視多角形の中心から頂点までの直線に平行な角度で設置された側枠部である構成とすることができる。
【００１４】
ここで、多角形の中心とは、多角形の内接円または外接円の中心を意味し、原則的には正多角形の外接円の中心を意味するものである。そして、多角形の中心から頂点までの直線とは、上記外接円の半径方向の直線であり、多角形の一辺とは直交せず、当該辺に対して斜状に交差する直線である。
【００１５】
上記構成によれば、側枠部の側面部が、多角形の中心から頂点までの直線に平行な面であることから、隣接する壁面構造体の対向する側面部が全面において当接することができることとなる。
【００１６】
また、上記発明において、前記壁面基部には、さらに、前記下枠部の両端から前記栽培施設外方に向かって延出する定着用部材を備えることができる。
【００１７】
上記構成によれば、壁面基部を立設状態で支持することができるとともに、定着部材を利用して、屋根部材の外層部材を固定することも可能となる。このとき、外層部材には種々の形態が想定され得るが、例えば、長尺なロープ状部材である場合には、当該ロープ状部材の先端を連結するように使用することができる。
【００１８】
また、上記発明において、前記定着用部材が、前記栽培施設の平面視多角形の中心から頂点までの直線に平行な角度で該栽培施設の外方に向かって延出する定着部材である構成とすることができる。
【００１９】
上記構成によれば、壁面基部の下枠部の両端から延出する二つの定着用部材が、ともに多角形の中心から頂点までの直線に平行となることから、隣接する壁面構造体のうち、相互に対向する定着用部材が平行に隣接することとなり、この隣接する両定着用部材を連結して一体化することにより、壁面基部が連続して設置されることとなる。
【００２０】
また、上記発明において、前記定着用部材には、さらに、屋根部材の外層部材を固定するための掛止部を備えることができる。
【００２１】
上記構成によれば、この掛止部によって、屋根部材の外層部材を固定することができるとともに、上述のように、隣接する二つの定着用部材を一体化した状態において、これら二つの定着用部材の両掛止部に単一の外層部材を固定することができる。このような固定方法により、二つの定着用部材の一体化を補強することもできる。
【００２２】
さらに、上記各発明において、前記壁面基部が、該壁面基部を構成する部材間に連結された複数の補強部材を備えた壁面部材である構成とすることができる。
【００２３】
上記構成によれば、壁面基部を構成する各部材の状態を維持させることができる。特に、側枠部の立設状態を維持させるとともに、この側枠部の上端に懸架される上枠部の位置を安定させ、さらに、定着用部材を設ける場合には、定着用部材が側枠部から延出する角度を維持させることができる。そして、定着用部材の状態が支持されることによって、地上に設置したときの壁面基部全体の姿勢を安定させることができるのである。
【発明の効果】
【００２４】
本発明の壁面構造体によれば、エアドーム型の屋根構造を有するビニールハウス等の栽培施設において、当該エアドーム型の屋根構造を構成する屋根部材を固定しつつ、当該栽培施設の壁面を構成することができる。特に、平面視多角形のエアドーム型施設を構築する場合には、上記多角形の各辺に対応する部分に壁面を構成することができるため、上記平面視多角形の栽培施設を構築することが容易となる。
【００２５】
また、エアドーム型の屋根構造を構築する場合、屋根部材は単層によって構成されることは少なく、空気を遮断するシート状部材を内層部材とし、そのほかに、当該シート状部材の破断を回避するための外層部材が設けられる。そこで、本発明の壁面構造体によれば、シート状部材は、角パイプに巻回されつつ施設内側に支持され、外層部材が、壁面基部によって固定されることとなり、多層構造の屋根部材を使用するエアドーム型屋根構造の構築に好適である。
【００２６】
さらに、壁面基部を構成している側枠部の側面部、および定着用部材の延出方向が、前記多角形の中心から頂点に向かう直線に平行とする場合、隣接する壁面基部の隣接面が相互に当接することとなり、隣接する両壁面基部の接合が容易となる。そして、隣接する定着用部材を接合することにより、隣接する両定着用部材を一体化させることができ、壁面基部を連続する状態で設置することができる。
【図面の簡単な説明】
【００２７】
【図１】（ａ）はエアドーム型の屋根構造を有する栽培施設の正面図であり、（ｂ）は平面図である。
【図２】本発明の第一の実施形態を示す説明図である。
【図３】屋根部材の固定状態を示す説明図である。
【図４】定着用部材の状態を示す説明図である。
【図５】壁面基部を連続させた状態を示す説明図である。
【図６】第二の実施形態を示す説明図である。
【発明を実施するための形態】
【００２８】
以下、本発明の実施の形態を図面に基づいて説明する。本発明の壁面構造体は、エアドーム型の屋根構造を有するビニールハウス等の栽培施設を構築する際に使用される。そこで、エアドーム型の屋根構造を有する栽培施設の概略を説明する。
【００２９】
図１は、栽培施設の概略を示す正面図および平面図である。図１（ａ）に示すように、栽培施設Ａは、下位部分が壁面部Ｂであり、その壁面部Ｂから上方にエアドーム型の屋根構造Ｃが構築されている。壁面部Ｂは、栽培施設Ａの全周に設けられ、短尺な筒状を形成し、この筒状部分の上端縁に屋根構造Ｃが連続するように構築されるのである。
【００３０】
また、図１（ｂ）に示すように、この栽培施設Ａは、平面視において多角形状とするものであり、また、この多角形は、原則的に正多角形としており、その頂点の数を多くすることにより円形に近似した形状の栽培施設を構築することができることとなるのである。ここで、正多角形の辺ごとに壁面が構築され、それが全周に連結されることによって多角形筒状の壁面部Ｂが構成されているのである。
【００３１】
そこで、個々の辺ごとに構築される壁面を構成するための壁面構造体の実施形態について説明する。図２は、壁面構造体の概略を示す説明図である。この図に示すように、本実施形態の壁面構造体は、矩形の枠体で構成された壁面基部１と、この壁面基部１に支持される板状の壁面部材２と、壁面基部１に設けられているパイプ固定部３と、このパイプ固定部３によって固定される角パイプ４とを備えたものである。本実施形態では、さらに、壁面基部１の上方に取り付けられる棒状部材５と、壁面基部１の下位に設けられる定着用部材６，７とを有するものである。
【００３２】
壁面基部１は、地上に設置される下枠部１１と、この下枠部１１の両端から鉛直方向に立設された側枠部１２，１３と、側枠部１２，１３の上端に懸架された上枠部１４とで構成されている。この四つの枠部１１〜１４によって矩形の枠体が形成されているのである。すなわち、側枠部１２，１３は、双方ともに長手方向が鉛直方向に向けられ、相互が平行に維持されており、しかも、ともに同じ長さに調整されている。そして、その上端の間に上枠部１４が懸架されることによって、結果的に上枠部１４は下枠部１１に平行に設けられることとなり、全体として長方形となっているのである。
【００３３】
なお、これらの枠部１１〜１４には、図示のように、Ｃ型チャンネル鋼またはアングル鋼が使用されるが、これに限定する趣旨ではない。また、下枠部１１と側枠部１２，１３との接合部分は溶接によって強固に接合されるものであり、上枠部１４は、側枠部１２，１３に溶接された継ぎ手用板部材１５，１６を介してボルト・ナット等の定着手段によって固着されている。このように各枠部１１〜１４を強固に接合することによって、前記枠体の矩形が維持されることとなる。これらの接合方法および固着方法については、全てを溶接によって接合してもよく、壁面としての強度を得ることができれば、いかなる手法を使用することも可能である。
【００３４】
上記壁面基部１を構成する下枠部１１の両側近傍には、さらに、定着用部材６，７が溶接されている。壁面基部１が自立可能である場合、または、下枠部１１を地中（または基礎構造体等）に埋設される場合には、定着用部材６，７を省略することが可能な場合もあり得る。しかし、壁面基部１が自立できない場合には定着用部材６，７が設けられるのである。
【００３５】
この定着用部材６，７は、構築されるべき栽培施設Ａ（図１参照）の外側に設けられる。これは、栽培施設Ａがエアドーム型の屋根構造を有することから、壁面（壁面基部１）が外向きに傾倒しないように定着させるためである。すなわち、エアドーム型の屋根構造である施設Ａは、その内部の空気圧が施設外の気圧よりも高く維持されることから、壁面（壁面基部１）に対して、外向きに圧力が作用することとなり、その圧力によって外向きに傾倒しないようにしているのである。なお、定着用部材６，７には、定着板６１，６２が設けられ、例えば、スパイラル杭を打ち込んで、当該定着用部材６，７の浮き上がりを防止することができるようになっている。
【００３６】
この定着用部材６，７とは反対側、すなわち、壁面基部１のうち、栽培施設（図１参照）の内側（内壁となるべき側）には、壁面部２が設置される。壁面部２は、プラスチック段ボールなどの軽量な板材を使用することができる。この壁面部２は、壁面基部１に対して適宜個所でビス止めしてもよいが、鋼材とプラスチック材とを接着できる接着剤を使用することも可能である。
【００３７】
なお、壁面部２を壁面基部１の内側に設置することは、施設Ａの内側からの圧力が壁面部２に最も強く作用することから、上記圧力によって壁面部２が離脱しないようにしているのである。
【００３８】
また、この壁面部２と同じ側（施設Ａの内側）には、角パイプ４が設置される。この角パイプ４は、屋根部材の一部を保持するためのものであり、当該屋根部材の一部を保持した状態で、パイプ固定部３によって固定される。
【００３９】
一般的に、エアドーム型の屋根構造を構築する際の屋根部材は、機密性を有するためのシート材が使用されるが、このシート材に作用する圧力を緩和するために、補強材が積層されるものである。また、ビニールハウスのように農作物を栽培するための施設においては、前記シート材としては透明なシート材（透明なビニールシート）が使用される。
【００４０】
そこで、このようなシート材の端縁部分を角パイプ４に巻回することによって、屋根部材の一部を保持するのである。詳細は後述するが、角パイプ４を使用したのは、巻回したシート材が解けることを防止するとともに、回転させずに固定することができるためである。
【００４１】
本実施形態は、壁面基部１の上枠部１４のさらに上方に棒状部材５が設けられるものである。この棒状部材５は、その軸線方向を上枠部１４の長手方向に対して平行となるように設けられている。上枠部１４は下枠部１１に平行に設けられることから、結果的に棒状部材５は、下枠部１１に平行に設けられることとなる。そして、下枠部１１は、平面視多角形の個々の辺に沿って設置されることから、これに平行な棒状部材５もやはり、平面視多角形の個々の辺に沿って設けられるものである。
【００４２】
この棒状部材５は、栽培施設Ａの屋根部材の外層部材を固定するために使用されるものである。具体的には、上述のように内層部材がシート材である場合、その外層として網目を有するネット材を使用することがあり、そのネット材の端縁部分を固定するのである。固定方法は、ネット材の端縁付近にある網目に紐状部材を挿通し、この紐状部材を棒状部材５に結びつけるのである。
【００４３】
このように、シート材（内層部材）とネット材（外層部材）とを個別に固定することによって、それぞれの部材に対する引っ張り強度を調整することが可能となる。従って、ネット材（外層部材）に対して強い張力を付与することにより、シート材（内層部材）に対しては、弱い張力で足りることができる。つまり、ネット材が頑丈であれば、そのネット材がエアドーム型屋根の外形を形成することとなり、個々の網目部分に着目しなければ、全体としてシート材はネット材の内側に押し付けられるように積層させることとなるからである。なお、外層をネット材とすることは、栽培施設Ａの内部に採光可能にするためであるが、シート材に作用する圧力を適宜分散させつつ外形を形成させるためには、網目を有するネット材は好適である。
【００４４】
ここで、シート材の固定状態について説明する。図３は、パイプ固定部３の周辺を示す図である。この図に示すように、シート材８を固定するための部材としては、パイプ固定部３および角パイプ４とが備えられている。そして、シート材８の端縁付近は角パイプ４に巻回されており、角パイプ４を回転させなければ、シート材８は角パイプ４から解けることがないものと想定することができる。
【００４５】
パイプ固定部３は、アングル鋼で構成され、その片方の平面部３１が、壁面部２の表面に対して約４５°の傾斜角を有しつつ突設されている。そして、この片方の平面部３１の表面には、プラスチックプレート３２が積層されており、さらに、その表面に当接可能な平面を有するアングル部材３３が設けられている。このアングル部材３３は、ボルト・ナットによって定着されることによって、その位置を固定させることができる。
【００４６】
このようなパイプ固定部３の片方平面部３１にシート材８が巻回された角パイプ４を、相互に平面部分が当接するようにして載置することにより、角パイプ４の一つの角が壁面部２に当接する状態となる。この状態で、アングル部材３３をパイプ固定部３に設置することにより、角パイプ４は、その回転を制限されることとなり、また、壁面部２とアングル部材３３の間隙を通過することもできず、結果的に、壁面部２とアングル部材３３によって挟持される状態となるのである。なお、パイプ固定部３の片方平面部３１の表面に積層するプラスチックプレート３２は、シート材８の材質に応じて摩擦抵抗の大きいものが選択的に使用されるものであり、その摩擦抵抗により、シート材８が角パイプ４から解けることを抑制する効果を得ることができる。
【００４７】
上記のように、平面視多角形の個々の辺について、壁面構造体が設置されるのである。ところで、本実施形態では、図４に示すように、側枠部１２，１３の側面部１２ａ，１３ａの方向、および、定着用部材６，７の長手方向は、壁面基部１の下枠部１１または上枠部１４から傾斜して設けられている。
【００４８】
この傾斜角は、栽培施設Ａを平面視多角形とするときの、多角形の頂点の数によって異なるものである。すなわち、この多角形の中心から頂点までの直線と平行となるように、側面部１２ａ，１３ａの表面が設けられており、同様の直線に平行となるように、定着用部材６，７の長手方向が一致されている。
【００４９】
なお、多角形とは、原則的に正多角形であることから、この正多角形の中心とは、外接円の中心を意味し、この中心から多角形の頂点までの直線とは、外接円に接する頂点までの半径を意味する。
【００５０】
従って、例えば、平面視において正３６角形の栽培施設を構築する場合は、下枠部１１または上枠部１４の長手方向に直交する方向と、側面部１２ａ，１３ａの表面および定着用部材６，７の長手方向との間の角度α，βは、ともに５°となるのである。
【００５１】
このように、側面部１２ａ，１３ａの表面および定着用部材６，７の長手方向の向きを傾斜させることにより、隣接する壁面基部１の対向面を密着させることができるのである。すなわち、同種の壁面基部１を連続して所定の数だけ（例えば３６個）並べることにより、平面視において正多角形が構成されることとなるが、その両端の平面が予め所定角度（例えば５°）だけ傾斜している場合には、その表面同士を当接させることができるのである。
【００５２】
図５に隣接する壁面基部１の状態を示している。この図に示すように、基準となる壁面基部１の両側に隣接する壁面基部１Ａ，１Ｂは、所定の多角形を形成するように、所定の角度を有して配置しているが、この状態において、側枠部１２，１３の側面部が、隣接する側面部１３Ａ，１２Ｂの側面部に密着させることができる。また、定着用部材６，７は、隣接する定着用部材７Ａ，６Ｂと平行に配置されることとなる。ここで、定着用部材６，７と、これに隣接する定着用部材７Ａ，６Ｂとをボルト・ナットにより、定着することによって、一体化させることができるものである。なお、ボルト・ナットは、図１に示されている貫通孔７１，７２，７３を使用することができる。
【００５３】
次に、第二の実施形態について説明する。図６は、第二の実施形態を示す図である。この図に示すように、本実施形態は、壁面基部１の下枠部１１に対し、両側の側枠部１２，１３から補強部材９１，９２，９３，９４が掛け渡されている。さらに、上枠部１４からも補強部材９５が掛け渡されているものである。このような補強部材９１〜９５により、壁面基部１による矩形の枠体が強固に維持されることとなる。また、側枠部１２，１３と、定着用部材６，７との間にも、補強部材９６，９７が掛け渡され、枠体と定着用部材６，７との接合状態を強固にするものである。
【００５４】
また、定着用部材６，７の上面部には、掛止用リング（掛止部）６５，７５が設けられており、屋根部材の最外層にロープを張設する場合に、そのロープの先端部を固定することができる。この掛止用リング６５，７５は、定着用部材６，７の長手方向に同じ位置に設けられており、前述の隣接する定着用部材６，７と一体化させる際には、ともの近接した位置に存在することとなり、上記ロープを、近接する二つの掛止用リング６５，７５を同時に使用して掛止させることができる。このような掛止により、隣接する定着用部材６，７は、さらに一体的な状態となるものである。
【００５５】
本発明の実施の形態は上記のとおりであるが、本発明はこれらの実施形態に限定されるものではない。さらに、本発明の趣旨を逸脱しない範囲において種々の形態とすることは可能である。例えば、各種材質については、強度および重量等により選定しているが、例示した材料以外のものを使用することは可能である。
【符号の説明】
【００５６】
１  壁面基部
２  壁面部材
３  パイプ固定部
４  角パイプ
５  棒状部材
６，７  定着用部材
８  シート材
１１  下枠部
１２，１３  側枠部
１２ａ，１３ａ  側面部
１４  上枠部
１５，１６  継ぎ手用板材
３１  平面部
３２  プラスチックプレート
３３  アングル部材
６５，７５  掛止用リング（掛止部）
９１，９２，９３，９４，９５，９６，９７  補強部材
【図１】
2012100600.tif 000003
【図２】
2012100600.tif 000004
【図３】
2012100600.tif 000005
【図４】
2012100600.tif 000006
【図５】
2012100600.tif 000007
【図６】
2012100600.tif 000008